(57)【要約】【課題】  撮影範囲の一部分が相互に重なり合った複数の画像を容易且つ迅速に撮影するための支援を実現する。【解決手段】  直前に撮影されてた撮影済み画像を基準画像（３１）とし、その基準画像（３１）の撮影範囲と、次の撮影前画像（３２）の撮影範囲との間の相対的な位置関係を求める。そして、その相対的位置関係を表す補助線４１を撮影前画像（３２）と共にビューファインダ画面３０上に表示させる。さらに、基準画像（３１）と撮影前画像（３２）の両撮影範囲の間の重なり具合を求め、その重なり具合が所定閾値範囲内になると、例えばテキスト等のメッセージをビューファインダ画面３０上に表示する。そして、重なり具合が所定の閾値範囲内で且つ、手振れが無いとき、撮影前画像（３２）の撮影を実行する。【選択図】  図３
2010045587.tif 000002
【特許請求の範囲】
【請求項１】
画像を撮影する画像撮影部と、
少なくとも画像を表示する画面を備えた画像表示部と、
上記画像撮影部による画像撮影時の装置振れを検知する振れ検知部と、
上記画像撮影部にて撮影された画像の情報を記録する画像記録部と、
上記画像撮影部で直前に撮影されて上記画像記録部に記録された第一画像の撮影範囲と、上記第一画像の次に上記画像撮影部にて撮影される第二画像の撮影範囲との間の、少なくとも相対的な位置関係を表す相対関係度パラメータを求める相対関係演算部と、
上記相対関係演算部が求めた上記相対関係度パラメータから上記撮影範囲間の相対的な位置関係を明示するための画像を生成し、当該画像を上記第二画像と共に上記画像表示部の画面上に表示させる表示制御部と、
上記第一画像の撮影範囲と上記第二画像の撮影範囲との間の重なり具合を表す重複度パラメータを求める重複演算部と、
上記重複演算部が求めた上記重複度パラメータに応じて撮影者へ所定の通知を行う通知部と、
上記重複演算部が求めた上記重複度パラメータが所定の閾値範囲内となり、上記振れ検知部の検知出力から上記画像撮影部における画像撮影時に装置振れが略々無いと判断できる時に、上記画像撮影部に画像を撮影させる撮影制御部と、
を有するカメラ装置。
【請求項２】
上記相対関係演算部は、上記第一画像と第二画像の両画像内の同じ複数の特徴点からなる特徴点群間の距離の和が最小となる回転角及び平行移動量を、上記相対関係度パラメータとして求める請求項１記載のカメラ装置。
【請求項３】
上記相対関係演算部は、上記第一画像と第二画像の両画像内で同じ局所領域を追跡した動きベクトルから算出した平行移動量及び回転角を、上記相対関係度パラメータとして求める請求項１記載のカメラ装置。
【請求項４】
上記相対関係演算部は、上記第一画像と第二画像の両画像の撮影時の回転角と仰角と方位角の差分を、上記相対関係度パラメータとして求める請求項１記載のカメラ装置。
【請求項５】
上記重複演算部は、上記第一画像と第二画像の両画像間の重複部分の面積を上記重複度パラメータとして求める請求項１記載のカメラ装置。
【請求項６】
上記重複演算部は、上記第一画像と第二画像の両画像内の同じ複数の特徴点数を上記重複度パラメータとして求める請求項１記載のカメラ装置。
【請求項７】
上記重複演算部は、上記第一画像と第二画像の両画像内の同じ複数の特徴点の調和度を上記重複度パラメータとして求める請求項１記載のカメラ装置。
【請求項８】
上記撮影制御部は、上記画像撮影部により撮影された画像に振れがある時には、上記画像撮影部に再度画像を撮影させる請求項１記載のカメラ装置。
【請求項９】
画像撮影装置により撮影された画像の情報を記録する画像記録部と、
上記画像撮影装置による画像撮影時の装置振れ検知情報を取得する振れ検知情報取得部と、
上記画像撮影装置で直前に撮影されて上記画像記録部に記録された第一画像の撮影範囲と、上記第一画像の次に上記画像撮影装置にて撮影される第二画像の撮影範囲との間の、少なくとも相対的な位置関係を表す相対関係度パラメータを求める相対関係演算部と、
上記相対関係演算部が求めた上記相対関係度パラメータから上記撮影範囲間の相対的な位置関係を明示するための画像を生成し、当該画像を上記第二画像と共に画像表示装置の画面上に表示させる表示制御部と、
上記第一画像の撮影範囲と上記第二画像の撮影範囲との間の重なり具合を表す重複度パラメータを求める重複演算部と、
上記重複演算部が求めた上記重複度パラメータに応じて画像撮影装置の使用者へ所定の通知を行う通知部と、
上記重複演算部が求めた上記重複度パラメータが所定の閾値範囲内となり、上記振れ検知情報取得部が取得した装置振れ検知情報から上記画像撮影装置における画像撮影時に装置振れが略々無いと判断できる時に、上記画像撮影装置に画像を撮影させる撮影制御部と、
を有する画像撮影支援装置。
【請求項１０】
上記相対関係演算部は、上記第一画像と第二画像の両画像内の同じ複数の特徴点からなる特徴点群間の距離の和が最小となる回転角及び平行移動量を、上記相対関係度パラメータとして求める請求項９記載の画像撮影支援装置。
【請求項１１】
上記相対関係演算部は、上記第一画像と第二画像の両画像内で同じ局所領域を追跡した動きベクトルから算出した平行移動量及び回転角を、上記相対関係度パラメータとして求める請求項９記載の画像撮影支援装置。
【請求項１２】
上記相対関係演算部は、画像撮影装置から画像撮影時の回転角と仰角と方位角の情報を取得し、上記第一画像と第二画像の両画像の撮影時の回転角と仰角と方位角の差分を、上記相対関係度パラメータとして求める請求項９記載の画像撮影支援装置。
【請求項１３】
上記重複演算部は、上記第一画像と第二画像の両画像間の重複部分の面積を上記重複度パラメータとして求める請求項９記載の画像撮影支援装置。
【請求項１４】
上記重複演算部は、上記第一画像と第二画像の両画像内の同じ複数の特徴点数を上記重複度パラメータとして求める請求項９記載の画像撮影支援装置。
【請求項１５】
上記重複演算部は、上記第一画像と第二画像の両画像内の同じ複数の特徴点の調和度を上記重複度パラメータとして求める請求項９記載の画像撮影支援装置。
【請求項１６】
上記撮影制御部は、上記画像撮影装置により撮影された画像に振れがある時には、上記画像撮影装置に再度画像を撮影させる請求項９記載の画像撮影支援装置。
【請求項１７】
画像撮影装置により撮影された画像の情報を画像記憶部に記憶させるステップと、
上記画像撮影装置による画像撮影時の装置振れ検知情報を振れ検知情報取得部が取得するステップと、
上記画像撮影装置で直前に撮影されて上記画像記録部に記録された第一画像の撮影範囲と、上記第一画像の次に上記画像撮影装置にて撮影される第二画像の撮影範囲との間の、少なくとも相対的な位置関係を表す相対関係度パラメータを、相対関係演算部が求めるステップと、
表示制御部が、上記相対関係演算部が求めた上記相対関係度パラメータから上記撮影範囲間の相対的な位置関係を明示するための画像を生成し、当該画像を上記第二画像と共に画像表示装置の画面上に表示させるステップと、
上記第一画像の撮影範囲と上記第二画像の撮影範囲との間の重なり具合を表す重複度パラメータを、重複演算部が求めるステップと、
上記重複演算部が求めた上記重複度パラメータに応じて、通知部が、画像撮影装置の使用者へ所定の通知を行うステップと、
上記重複演算部が求めた上記重複度パラメータが所定の閾値範囲内となり、上記振れ検知情報取得部が取得した装置振れの検知情報から上記画像撮影装置における画像撮影時に装置振れが略々無いと判断できる時に、撮影制御部が、上記画像撮影装置に画像を撮影させるステップと、
を有する画像撮影支援方法。
【請求項１８】
画像撮影部による画像撮影時の装置振れ検知情報を取得する振れ検知情報取得部と、
画像撮影部で直前に撮影されて画像記録部に記録された第一画像の撮影範囲と、上記第一画像の次に上記画像撮影部にて撮影される第二画像の撮影範囲との間の少なくとも相対的な位置関係を表す相対関係度パラメータを求める相対関係演算部と、
上記相対関係演算部が求めた上記相対関係度パラメータから上記撮影範囲間の相対的な位置関係を明示するための画像を生成し、当該画像を上記第二画像と共に画像表示部の画面上に表示させる表示制御部と、
上記第一画像の撮影範囲と上記第二画像の撮影範囲との間の重なり具合を表す重複度パラメータを求める重複演算部と、
上記重複演算部が求めた上記重複度パラメータに応じて、所定の通知部を制御して撮影者へ所定の通知を行う通知制御部と、
上記重複演算部が求めた上記重複度パラメータが所定の閾値範囲内となり、上記振れ検知情報取得部にて取得した装置振れの検知情報から上記画像撮影部における画像撮影時に装置振れが略々無いと判断できる時に、上記画像撮影部に画像を撮影させる撮影制御部として、
コンピュータを機能させる画像撮影支援プログラム。
【発明の詳細な説明】
【技術分野】
【０００１】
本発明は、いわゆるデジタルスチルカメラ等のカメラ装置と、撮影範囲の一部分が相互に重なり合った複数の画像の撮影を支援するのに好適な画像撮影支援装置、画像撮影支援方法、及び画像撮影支援プログラムに関する。
【背景技術】
【０００２】
従来より、カメラレンズの撮影画角よりも広い範囲の画像を生成するための手法の一つとして、例えば水平方向に撮影範囲の一部が重なり合った複数の画像を撮影し、それら重複した部分を合成して各画像を連結することで、水平方向に広いパノラマ画像を生成するような手法が知られている。なお、パノラマ画像には、上記水平方向に対して直交する垂直方向について、それぞれ撮影範囲の一部が重なった複数の画像を合成したものも含まれる。勿論、カメラレンズの撮影画角よりも広い範囲の画像は、上述した水平或いは垂直方向に限定せずに、任意の方向について撮影範囲の一部が相互に重なり合った複数の画像を撮影し、それら重複部分を合成して各画像を連結することで生成されてもよい。以下、上述した水平或いは垂直方向を含んだ任意の方向について、撮影範囲の一部が相互に重なり合った複数の画像を撮影して合成することをコラージュ画像の生成と表記し、また当該生成された画像をコラージュ画像と表記することとする。
【０００３】
上述のようなコラージュ画像を生成する場合には、撮影範囲の一部分が相互に重なり合った複数の画像を用意する必要がある。すなわち、デジタルカメラ等の撮影画像を用いてコラージュ画像を生成する場合には、当該デジタルカメラでの撮影時に、それぞれ撮影範囲の一部が重なり合った複数の画像を撮影する必要がある。
【０００４】
なお、特開２００４−１２８５８８号の公開特許公報（特許文献１）には、例えばビューファインダ画面付きのデジタルスチルカメラにおいて、特にパノラマ画像を構成させる各画像を撮影する場合に、先に撮影した画像と現在の撮影前の画像との間の位置関係を、ビューファインダ画面上に表示することで撮影を支援するような技術が開示されている。具体的には、ビューファインダ上に、先の撮影画像を透過表示したり、先の撮影画像の被写体エッジ部を表示することで、先の撮影画像と現在の撮影前画像の位置関係を撮影者に知らせるようになされている。
【０００５】
また、特開２００７−１７４３０１号の公開特許公報（特許文献２）には、ビューファインダ画面上で先の撮影済み画像の撮影方向を固定すると共に、その撮影済み画像を透過表示させ、カメラを平行移動させた時には、その移動方向と移動距離に応じて撮影済み画像をシフトさせることにより、撮影済み画像と撮影前画像の位置関係を撮影者に知らせるような技術が開示されている。
【０００６】
また、特開２００３−８９４７号の公開特許公報（特許文献３）には、電子カメラにおいて、前回撮像した画像と今回撮像する画像を一部重複させて繋ぎ合わせるために、重複させる部分である前回撮像した画像の一部と共に今回撮像する画像をリアルタイムにファインダ上に表示させる技術が開示されている。
【０００７】
さらに、特開２０００−１８８７０５号の公開特許公報（特許文献４）には、先に撮影した画像の輪郭を抽出すると共に、輪郭画像を透明化してモニタ画面に重畳表示させることで、画面合成するための重畳部分の確認を容易にする技術が開示されている。
【０００８】
その他、特許３８３２８９５号の特許公報（特許文献５）や、特開２０００−９０２３２号の公開特許公報（特許文献６）には、画像を合成して表示することで撮影支援を可能とする技術が開示されている。
【０００９】
【特許文献１】特開２００４−１２８５８８号公報（図１）
【特許文献２】特開２００７−１７４３０１号公報（図１）
【特許文献３】特開２００３−８９４７号公報（図１）
【特許文献４】特開２０００−１８８７０５号公報（図１）
【特許文献５】特許３８３２８９５号公報（図１）
【特許文献６】特開２０００−９０２３２号公報（図１）
【発明の開示】
【発明が解決しようとする課題】
【００１０】
上述したように、撮影済み画像を透過表示したり、撮影済み画像の被写体エッジ部等を表示するようにした場合、撮影者は、それら透過表示やエッジ部表示等を参照することで、撮影済み画像とこれから撮影しようとする画像の撮影範囲が重なっているか否かについて或る程度判断できる。
【００１１】
ここで例えば、撮影範囲が重なっていることのみが要求され、その重なりを正確に合わせる必要がない用途の場合、撮影者は、撮影範囲が重なっている限り自由に撮影することができる。
【００１２】
しかしながら、例えば重なり具合を所望の範囲内に収め、その重なり具合の範囲内で撮影を行うような用途の場合、撮影者は、撮影済み画像とこれから撮影する画像の撮影範囲合わせ（位置合わせ）を自らが行わなければならない。このような撮影範囲合わせの作業は、撮影者にとって負担が大きい。また、撮影者の技量により、必ずしも上手く撮影範囲を合わせられるとは限らない。
【００１３】
また、デジタルスチルカメラやカメラ付き携帯電話端末に設けられているビューファインダは、その画面サイズが充分大きいとは言い難い。したがって、上述のように重なり具合を所望の範囲内に収めるような場合、撮影者は、上記画面サイズが小さいビューファインダの表示画像を参照するのみでは、何時シャッターボタンを押せばよいのか判断し難い。
【００１４】
その他、撮影済み画像とビューファインダに映る画像を逐一合成して比較する処理を行うようにした場合には、重なり具合を正確に合わせることが可能となるが、機器の能力によっては、当該処理に時間がかかり、リアルタイム処理が難しくなる虞がある。
【００１５】
本発明は、このような実情に鑑みて提案されたものであり、撮影範囲の一部分が相互に重なり合った複数の画像を容易且つ迅速に撮影することを可能にするカメラ装置、画像撮影支援装置、画像撮影支援方法、及び画像撮影支援プログラムを提供することを目的とする。
【課題を解決するための手段】
【００１６】
本発明のカメラ装置は、画像撮影部、画像表示部、振れ検知部、画像記録部、相対関係演算部、表示制御部、重複演算部、通知部、撮影制御部を有する。画像撮影部は、画像を撮影する。画像表示部は、少なくとも画像を表示する画面を備える。振れ検知部は、画像撮影部における画像撮影時の装置振れを検知する。画像記録部は、画像撮影部にて撮影された画像の情報を記録する。相対関係演算部は、画像撮影部で直前に撮影されて画像記録部に記録された第一画像の撮影範囲と、第一画像の次に画像撮影部にて撮影される第二画像の撮影範囲との間の少なくとも相対的な位置関係を表す相対関係度パラメータを求める。表示制御部は、相対関係演算部が求めた相対関係度パラメータから撮影範囲間の相対的な位置関係を明示するための画像を生成し、当該画像を第二画像と共に画像表示部の画面上に表示させる。重複演算部は、第一画像の撮影範囲と第二画像の撮影範囲との間の重なり具合を表す重複度パラメータを求める。通知部は、重複演算部が求めた重複度パラメータに応じて撮影者へ所定の通知を行う。撮影制御部は、重複演算部が求めた重複度パラメータが所定の閾値範囲内となり、振れ検知部により検知される装置振れが略々無い時、画像撮影部に画像を撮影させる。これにより、本発明は上述した課題を解決する。
【００１７】
また、本発明の画像撮影支援装置、画像撮影支援方法、及び画像撮影支援プログラムでは、先ず、直前に撮影された第一画像の撮影範囲と次に撮影される第二画像の撮影範囲との間の少なくとも相対的な位置関係を求め、撮影範囲間の相対的な位置関係を明示するための画像を第二画像と共に画面上に表示させる。そして、本発明の画像撮影支援装置、画像撮影支援方法、及び画像撮影支援プログラムでは、第一画像の撮影範囲と第二画像の撮影範囲との間の重なり具合に応じて撮影者へ所定の通知を行い、さらに、撮影範囲の重なり具合が所定の閾値範囲内となり、装置振れが略々無い時、画像を自動的に撮影させる。これにより、本発明は上述した課題を解決する。
【００１８】
すなわち、本発明によれば、第一画像と第二画像の重なっており、その重なり具合が所定閾値範囲内で且つ装置振れが無いとき、自動的に第二画像の撮影を行う。これにより、撮影範囲の一部分が相互に重なり合った複数の一連の画像を撮影することができる。
【発明の効果】
【００１９】
本発明においては、第一画像と第二画像の重なり具合が所定閾値範囲内で且つ装置振れが無いとき、自動的に第二画像の撮影を行うことにより、撮影範囲の一部分が相互に重なり合った複数の画像を容易且つ迅速に撮影することが可能となっている。
【発明を実施するための最良の形態】
【００２０】
以下、図面を参照しながら、本発明の一実施形態について説明する。
【００２１】
なお、以下の説明では、本発明の適用例としてデジタルスチルカメラを例に挙げているが、勿論それはあくまで一例であり、本発明はこの例に限定されず、例えばカメラ機能付きの携帯電話端末等の他の装置にも適用可能である。
【００２２】
［デジタルスチルカメラの概略構成］
図１には、本発明実施形態のデジタルスチルカメラ１の概略的な内部構成例を示す。
【００２３】
本実施形態において、カメラ撮影部２は、主要な構成要素として、オートフォーカス機構やズーム機構、絞り機構等を備えたカメラレンズと、そのカメラレンズを介して入射した被写体像等を光電変換により撮像データに変換する撮像素子及びその周辺回路とを有する。なお、カメラ撮影部２における撮像やカメラレンズのオートフォーカス等はＣＰＵ部５が制御する。
【００２４】
ビューファインダ部６は、操作部７のシャッターボタンが押される前の画像や、操作ボタンの押下等により既に撮影された画像等を表示するための画面を備えた表示デバイスと、その周辺回路とからなる。なお、本実施形態では、上記シャッターボタンが押下等される前の画像、つまり、現時点でカメラ撮影部２のレンズにより撮像素子上に結像され、当該撮像素子にて撮像されている状態の画像を、撮影前画像と表記することにする。また、シャッターボタンの押下により既に撮影された画像を、撮影済み画像と表記することにする。このビューファインダ部６における画像表示は、ＣＰＵ部５が制御している。操作部７に設けられているシャッターボタンとその他の操作入力デバイスの図示及び説明については省略する。
【００２５】
画像処理部４は、上記カメラ撮影部２の撮像データから、上記ビューファインダ部６の画面上に表示する画像データを生成する。また、画像処理部４は、後述する合成画像の生成処理も行う。さらに、画像処理部４は、メモリ部３に対する画像データの保存や読み出しも行う。なお、画像データの生成処理や合成画像の生成処理についての制御は、ＣＰＵ部５が行う。
【００２６】
ＣＰＵ部５は、当該デジタルスチルカメラ１の各部の制御や各種データ処理、演算処理等を行う。すなわちＣＰＵ部５は、上述したカメラ撮影部２、画像処理部４、ビューファインダ部６、後述する加速度センサ部８，傾きセンサ部９，方位センサ部１０等の制御や各種データ処理を行う。また、詳細については後述するが、ＣＰＵ部５は、撮影範囲の一部分が相互に重なり合った複数の一連の画像を撮影するための本発明に関連する各種制御及び演算を実行する。
【００２７】
メモリ部３は、撮影済み画像や後述する合成画像等のデータを記録し、また、撮影前画像の画像データを一時的に記憶し、また、撮影済み画像と撮影前画像の両撮影範囲間の相対的な位置関係や両撮影範囲の重なり具合等を求めるために使用される各情報等を一時的に記憶するための記憶媒体と、その周辺回路とからなる。なお、本実施形態において、メモリ部３には、デジタルスチルカメラ１に内蔵されている半導体メモリと、着脱可能な外部半導体メモリ等の両方が含まれている。また、当該メモリ部３における画像等の各種データ等の記憶や読み出しは、ＣＰＵ部５が制御する。また、メモリ部３には、本発明の画像撮影支援プログラム（後述するコラージュ画像撮影モード用のプログラム）を含む各種のプログラムも格納されている。メモリ部３に格納されている本発明にかかる画像撮影支援プログラム等の各種プログラムは、ディスク状記録媒体や外部半導体メモリ等から転送されて格納されたり、外部インターフェースを通じたケーブル或いは無線により転送されて格納されたものであっても良い。
【００２８】
加速度センサ部８は、デジタルスチルカメラ１に加わる加速度を検知する加速度センサ素子と、その周辺回路とからなる。本実施形態では、当該加速度センサ部８により検知された加速度データを用いて、画像撮影時にデジタルスチルカメラ１に加わる振動、すなわち例えば手振れによる振動（装置振れ）等を少なくとも検知可能となされている。なお、本実施形態において、加速度センサ部８における加速度検知動作の制御や、当該加速度センサ部８の加速度データを用いた手振れ検知、その手振れ検知の結果を利用した撮影制御などの処理は、ＣＰＵ部５が行っている。
【００２９】
傾きセンサ部９は、撮影時の当該デジタルスチルカメラ１の傾きを検知する傾きセンサと、その周辺回路とからなる。また、方位センサ部１０は、撮影時における当該デジタルスチルカメラ１の撮影方位を検知する方位センサと、その周辺回路とからなる。これら傾きセンサ部９と方位センサ部１０は、必要に応じて設けられるものである。これら傾きセンサ部９と方位センサ部１０の詳細については後述する。
【００３０】
なお、図１では図示を省略しているが、本発明実施形態のデジタルスチルカメラ１は、シャッター音や案内音声等を出力するためのスピーカ、外部ケーブル用コネクタ、ストロボ光部、電力供給用バッテリとそのコントロールＩＣなど、一般的なデジタルスチルカメラに設けられている各構成要素や、近距離無線通信部、ＧＰＳ（Global Positioning System）部などについても備えている。
【００３１】
［コラージュ画像撮影モード時のビューファインダ表示例］
本実施形態のデジタルスチルカメラ１において、撮影範囲の一部分が相互に重なり合った複数の画像を撮影してそれら画像を合成する撮影モード時の動作について、図２〜図４のビューファインダ表示例を参照しながら説明する。
【００３２】
ここで、本実施形態のデジタルスチルカメラ１は、水平方向或いは垂直方向に撮影範囲の一部が重なり合った複数の一連の画像を撮影するいわゆるパノラマ撮影のみならず、任意の方向について撮影範囲の一部が相互に重なり合った複数の一連の画像の撮影が可能となされている。本実施形態では、上記水平方向・垂直方向を含む任意の方向（あらゆる方向）について、撮影範囲の一部が相互に重なり合った複数の画像を撮影してそれら画像を合成する撮影モードを、コラージュ画像撮影モードと表記することとする。
【００３３】
図２には、上記コラージュ画像撮影モードにおいて一枚目の画像を撮影する際のビューファインダ部６の画面３０の表示例を示している。
【００３４】
コラージュ画像撮影モード時において、一枚目の画像を撮影する際には、図２に示すように、カメラ撮影部２にて現在撮像されている画像３１が、ビューファインダ画面３０上の略々全面に表示される。なお、図２中の指示符号２０は、被写体（被写体Ａ，Ｂ，Ｃ等）が含まれた風景等を示している。
【００３５】
そして、当該コラージュ画像撮影モードにおいて、撮影者（カメラ使用者）によりシャッターボタンが押下されることで当該一枚目の画像の撮影がなされた場合、その画像データはメモリ部３に記録される。また、この時のメモリ部３には、カメラ撮影部２のカメラレンズのズーム倍率データ、つまりズーム倍率に応じた画角データも記録される。なお、ズーム倍率に応じた画角はＣＰＵ部５が演算により求める。当該ズーム倍率に応じた画角の演算については、既存の技術を流用可能であるためここではその説明を省略する。
【００３６】
図３には、コラージュ画像撮影モードにおいて、二枚目の画像を撮影する際のビューファインダ部６の画面３０の表示例を示す。
【００３７】
当該二枚目の画像を撮影する際、デジタルスチルカメラ１は、一枚目の撮影済み画像を基準画像（本発明の第１画像）とし、その基準画像が撮影された時の撮影範囲と当該二枚目の撮影前画像（本発明の第２画像）の撮影範囲との間の相対的な位置関係及び大きさを表す後述する相対関係度パラメータを求める。
【００３８】
なお、両撮影範囲の相対的な位置関係と大きさを表す相対関係度パラメータの算出手法の具体例についての説明は後述する。
【００３９】
そして、デジタルスチルカメラ１は、図３に示すように、上記基準画像と撮影前画像の両画像の撮影範囲の相対的な位置関係及び大きさを維持した状態で上記基準画像の撮影範囲を表す補助線４１の画像（枠画像）を生成し、その補助線４１の画像を、ビューファインダ画面３０上に表示されている撮影前画像に重ねて表示する。
【００４０】
図３は、一枚目と二枚目の画像撮影時の画角（つまりズーム倍率）が同一であった場合のビューファインダ画面３０の表示例を示しているが、例えば一枚目と二枚目の画像撮影時でズーム倍率が変更されて画角が変わっているような場合には、それら基準画像と撮影前画像の両撮影範囲の相対的な大きさも変更されることになる。
【００４１】
すなわちこの場合、デジタルスチルカメラ１は、上記基準画像と撮影前画像の両撮影時の上記画角に応じて撮影範囲間の相対的な大きさを維持した状態で、上記基準画像の撮影範囲を表す補助線の画像を生成する。そして、デジタルスチルカメラ１は、その補助線画像を、ビューファインダ画面３０上に表示する。
【００４２】
その他、図３には、上記補助線の他に、例えば基準画像を撮影前画像に重ねてビューファインダ画面３０上の表示したり、基準画像から生成した半透明画像、或いは、基準画像内の被写体画像等から生成した半透明輪郭画像を表示してもよい。
【００４３】
本実施形態によれば、この図３のビューファインダ画面３０を観ることで、撮影者は、先に撮影した一枚目の画像の撮影範囲が、当該二枚目の撮影前画像に対してどのような相対的な位置関係及び大きさを有していたのかを容易に知ることができる。
【００４４】
次に、図４には、コラージュ画像撮影モードにおいて、三枚目の画像を撮影する際のビューファインダ画面３０の表示例を示す。
【００４５】
当該三枚目の画像を撮影する際、デジタルスチルカメラ１は、当該三枚目の画像撮影の直前に撮影された画像（上記二枚目の撮影済み画像）を基準画像とし、その基準画像が撮影された時の撮影範囲と当該三枚目の撮影前画像の撮影範囲との間の相対的な位置関係及び大きさを表す相対関係度パラメータを求める。
【００４６】
そして、デジタルスチルカメラ１は、図４に示すように、上記基準画像と撮影前画像の両画像の撮影範囲の相対的な位置関係及び大きさを維持した状態で、上記基準画像の撮影範囲を表す補助線４２の画像を生成し、その補助線４２の画像を、ビューファインダ画面３０上に表示されている撮影前画像に重ねて表示する。
【００４７】
またこの時、基準画像の撮影以前に撮影されて保存されている画像（この例では一枚目の画像）が存在し、その保存画像と上記基準画像の両撮影範囲の相対的位置関係を表す補助線４１が生成済みである場合には、図４に示すように、当該補助線４１もビューファインダ画面３０上に表示する。
【００４８】
なお、図４は、一枚目〜三枚目の画像撮影時の各画角（ズーム倍率）が同一であった場合のビューファインダ画面３０の表示例を示しているが、それら各画像撮影時にズーム倍率が変更されて画角が変わっている場合には、前述同様、それら各画像の撮影範囲の相対的な大きさも変更される。
【００４９】
すなわちこの場合、デジタルスチルカメラ１は、各画像撮影時の上記画角に応じて各撮影範囲間の相対的な大きさを維持した状態で、各撮影範囲を表す補助線の画像を生成し、それら補助線画像をビューファインダ画面３０上に表示する。
【００５０】
その他、この図４の例の場合も前述同様に、上記補助線の他に、基準画像を撮影前画像に重ねてビューファインダ画面３０上の表示したり、基準画像や保存画像から生成した半透明画像、或いは、基準画像や保存画像内の被写体画像等から生成した半透明輪郭画像を表示してもよい。
【００５１】
したがって、この図４のビューファインダ画面３０を観れば、撮影者は、先に撮影した一枚目と二枚目の画像の各撮影範囲が、当該三枚目の撮影前画像に対してどのような相対的な位置関係及び大きさを有していたのかを容易に知ることができる。
【００５２】
［コラージュ画像撮影モード時のメッセージ通知と自動シャッター制御］
本実施形態のデジタルスチルカメラ１は、コラージュ画像撮影モード時には、図３や図４で説明したようなビューファインダ表示制御を行うと共に、基準画像と撮影前画像の両撮影範囲の重なり具合を判断する。
【００５３】
なお、両撮影範囲の重なり具合の具体的な判断手法についての説明は後述する。
【００５４】
そして、本実施形態のデジタルスチルカメラ１は、上記基準画像と撮影前画像の両撮影範囲の重なり具合に応じて、例えば所定のメッセージを撮影者に通知し、自動的にカメラシャッターを切るような制御を実行する。
【００５５】
すなわち、本実施形態のデジタルスチルカメラ１は、両撮影範囲の重なり具合を表すパラメータ（以下、重複度パラメータと表記する。）を求め、当該重複度パラメータと予め設定された重複度閾値とを比較する。そして例えば、重複度パラメータが重複度閾値の範囲内に入った時、デジタルスチルカメラ１は、所定のメッセージを撮影者に通知し、自動的にカメラシャッターを切る制御を実行する。
【００５６】
ここで、所定のメッセージとしては、例えば「カメラを静止してください」等のテキストメッセージをビューファインダ上に表示すること、或いは、「カメラを静止してください」等の音声案内をスピーカから出力することなどを挙げることができる。
【００５７】
このように、本実施形態によれば、重複度パラメータが重複度閾値の範囲内に入った時に、デジタルスチルカメラ１から上記所定のメッセージが通知されることにより、撮影者は、撮影前画像の撮影範囲が基準画像の一部分に重なり合ったことを知ることができる。
【００５８】
また、本実施形態のデジタルスチルカメラ１は、重複度パラメータが重複度閾値の範囲内に入った時に自動的にカメラシャッターを切る制御を行う。但しこのとき、デジタルスチルカメラ１は、加速度センサ部８の加速度データにより手振れ量を測定し、その手振れ量が所定の振れ閾値量より少なくなり、手振れが略々無いか若しくは非常に少ないと判断できた時に、自動的にカメラシャッターを切るようになされている。
【００５９】
このように、本実施形態のデジタルスチルカメラ１では、重複度パラメータが重複度閾値の範囲内に入り、さらに手振れが無いと判断された時に、自動的にカメラシャッターが切られるため、例えば撮影者が自らシャッターボタンを押すことでカメラがぶれてしまうようなことを防ぐことができる。
【００６０】
なお、デジタルスチルカメラ１は、上記重複度パラメータが閾値の範囲内に入った後、手振れが略々無いか若しくは非常に少ないか判断し、手振れが無いか若しくは少ないと判断できた場合に、例えば「撮影を行います」等の所定のメッセージを撮影者へ通知することも可能である。これにより、撮影者は、自動的にカメラシャッターが切られることを知ることができるようになる。
【００６１】
その他、本実施形態のデジタルスチルカメラ１は、上記自動的な撮影がなされた後の画像についても、その画像自体にぶれがあるか否か判定し、当該撮影済み画像自体にぶれがあると判定した場合には、再度自動的にカメラシャッターを切ることも可能となされている。なお、撮影済み画像におけるぶれの有無は、一例として、当該撮影済み画像内の被写体画像等のエッジ部分の相対的な輝度変化量等を求め、当該エッジ部分の相対的輝度変化量等が、予め決められた許容範囲内の画像ブレに対応した輝度変化閾値を超えたか否かを検知することなどにより判定することができる。
【００６２】
［撮影範囲の相対位置関係と大きさの算出手法の例］
本実施形態のデジタルスチルカメラ１は、前述したような基準画像と撮影前画像の両撮影範囲の相対的な位置関係を、一例として以下のような幾つかの手法の何れかを用いて求める。
【００６３】
上記撮影範囲の相対的位置関係を求める第１の算出手法では、先ず、基準画像と撮影前画像の両画像から、それぞれ同じ複数の特徴点を抽出する。なお、特徴点としては、例えば同じ輝度等を有する画素或いは画素群等などを挙げることができる。
【００６４】
次に、基準画像と撮影前画像の両画像のそれぞれ同じ特徴点からなる特徴点群を重ね合わせた時の、それら両画像の特徴点群間の距離を最小二乗法により求める。また、それら両画像の特徴点群間の距離の和が最小になるような回転角及び平行移動量を算出する。つまり、この第１の算出手法では、これら回転角及び平行移動量を、撮影範囲の相対的位置関係を表す相対関係度パラメータとして算出する。
【００６５】
そして、当該第１の算出手法では、当該算出された回転角及び平行移動量を用いて、上記基準画像の撮影範囲と撮影前画像の撮影範囲との間の相対的な位置関係を求める。
【００６６】
すなわち、上記撮影前画像は、基準画像から上記回転角及び平行移動量だけ相対的に動かされた画像と考えることができ、したがって、上記撮影前画像の撮影範囲についても同様に、上記基準画像の撮影範囲に対して上記回転角及び平行移動量だけ相対的に動かされた範囲と考えることができる。
【００６７】
上記撮影範囲の相対的位置関係を求める第２の算出手法では、カメラ撮影部２にて撮影される画像を例えば複数に分割して得られた各局所領域のなかで、図５に示すように、幾つか所定の局所領域５１を決め、カメラ撮影部２にて順次撮影される各画像において、それら所定の各局所領域５１の位置の変化を追跡する。
【００６８】
すなわち当該第２の算出手法では、カメラ撮影部２にて順次撮影される各画像において、所定の各局所領域５１の動きベクトルを求めることにより、それら所定の各局所領域５１を含む画像が何れの方向に平行移動し且つどれだけの回転角だけ回転したのかを追跡する。
【００６９】
そして、上記所定の各局所領域を追跡することで求められた画像の回転角及び平行移動量により、上記撮影範囲の相対的位置関係を求める。つまり、この第２の算出手法では、それら回転角及び平行移動量を、撮影範囲の相対的位置関係を表す相対関係度パラメータとして算出する。
【００７０】
上記撮影範囲の相対的位置関係を求める第３の算出手法では、上記基準画像と撮影前画像の両撮影範囲間の相対的な位置関係を、基準画像が撮影された時の回転角θ，仰角φ，方位角ζをそれぞれ基準値とし、上記撮影前画像が撮像されている時の回転角θ，仰角φ，方位角ζと上記各基準値との間の差分を算出することで求める。
【００７１】
ここで例えば、基準画像の撮影時の仰角φを基準仰角とした場合、本実施形態のデジタルスチルカメラ１は、撮影前画像の撮像時の仰角φと上記基準仰角との差分を、両撮影範囲間の仰角に関する相対的な位置関係として求める。
【００７２】
また、基準画像の撮影時の方位角ζを基準方位角とした場合、本実施形態のデジタルスチルカメラ１は、撮影前画像の撮像時の方位角ζと上記基準方位角との差分を、両撮影範囲間の方位角に関する相対的な位置関係として求める。
【００７３】
同様に、基準画像の撮影時の回転角θを基準回転角とした場合、本実施形態のデジタルスチルカメラ１は、撮影前画像の撮像時の回転角θと上記基準回転角との差分を、両撮影範囲間の回転角に関する相対的な位置関係として求める。
【００７４】
つまり、この第３の算出手法では、それら回転角θ，仰角φ，方位角ζについての上記各差分を、相対関係度パラメータとして算出する。これにより、基準画像と撮影前画像の両撮影範囲間の相対的な位置関係が求められる。
【００７５】
上記第３の算出手法が採用される場合、本実施形態のデジタルスチルカメラ１は、前記傾きセンサ部９と方位センサ部１０を備える。
【００７６】
ここで、この第３の算出手法の場合、傾きセンサ部９は、上記デジタルスチルカメラ１の傾きを、回転角θと仰角φとして検知する。すなわち、上記回転角θは、図６の（Ａ）に示すように、撮像素子により撮像されている静止画像ＳＩが、重力的な水平面ＨＦに対して有する回転角度として求められる。また、上記仰角φは、図６の（Ｂ）に示すように、撮影時における重力的な水平面ＨＦに対してカメラレンズの光軸ＡＬ（合焦面ＦＦに垂直な線）が指向する仰角として求められる。なお、傾きセンサ部９における傾きの検知動作の制御や、当該傾きセンサ部９の検知データによる回転角θと仰角φの算出は、ＣＰＵ部５が行う。
【００７７】
さらに、当該第３の算出手法の場合、方位センサ部１０は、撮影時の当該デジタルスチルカメラ１の撮影方位を、図６の（Ｃ）に示すように、カメラレンズの光軸ＡＬ（合焦面ＦＦに垂直な線）が指向している方位と、或る基準方位ＢＯ（０°）との間の角度、すなわち方位角ζとして求める。なお、方位センサ部１０における方位の検知動作の制御や、当該方位センサ部１０の検知データによる方位角ζの算出は、ＣＰＵ部５が行う。
【００７８】
また、本実施形態において、上記基準画像と撮影前画像の両撮影範囲間の相対的な大きさは、基準画像が撮影された時の画角εを基準値とし、撮影前画像の撮像時の画角εと上記基準値との間の差分を算出することで求めることができる。
【００７９】
そして、例えば基準画像の撮影時の画角εを基準画角とした場合、撮影前画像の撮像時の画角εと上記基準画角との差分が、両画像間の相対的な大きさとして求められる。つまり、本実施形態では、それら画角εにおける上記差分を、撮影範囲の相対的な大きさを表す相対関係度パラメータの一つとして算出する。
【００８０】
［撮影範囲の重なり具合の具体的な判断手法の例］
本実施形態のデジタルスチルカメラ１は、前述したような基準画像と撮影前画像の両撮影範囲の重なり具合を、一例として以下のような幾つかの手法の何れかを用いて求める。
【００８１】
上記両撮影範囲の重なり具合を求める第１の判断手法では、前記重複度パラメータとして、基準画像と撮影前画像の重なっている部分の面積を求め、また、重複度閾値として予め或る所定の閾値面積範囲を設定しておく。
【００８２】
そして、上記基準画像と撮影前画像の重複面積が、上記所定の閾値面積範囲内に入ったか否か判断する。重複面積が所定の閾値面積範囲内に入った時には、前述したように所定のメッセージを撮影者に通知し、自動的にカメラシャッターを切る制御を実行する。
【００８３】
また、上記両撮影範囲の重なり具合を求める第２の判断手法では、基準画像と撮影前画像の両画像からそれぞれ同じ複数の特徴点を抽出しておき、基準画像と撮影前画像の重なっている部分内部の特徴点数を前記重複度パラメータにすると共に、前記重複度閾値として予め或る所定閾値数範囲を設定しておく。
【００８４】
そして、上記基準画像と撮影前画像の重なっている部分内部の特徴点数が、上記所定閾値数範囲内に入ったか否か判断する。上記重なっている部分内部の特徴点数が所定閾値数範囲内に入った時、前述したように所定のメッセージを撮影者に通知したり、自動的にカメラシャッターを切る制御を実行する。
【００８５】
また、上記両撮影範囲の重なり具合を求める第３の判断手法では、基準画像と撮影前画像の両画像からそれぞれ同じ複数の特徴点を抽出し、基準画像と撮影前画像の重なっている部分内部の同じ複数の特徴点のマッチング（つまり調和度）を判定したマッチング結果を上記重複度パラメータにすると共に、前記重複度閾値として予め或る所定の閾値調和度範囲を設定しておく。
【００８６】
そして、上記基準画像と撮影前画像の重なっている部分内部の特徴点のマッチング結果が、上記所定の閾値調和度範囲内に入ったか否か判断する。上記重なっている部分内部の特徴点のマッチング結果が上記予定の閾値調和度範囲内に入った時、前述したように所定のメッセージを撮影者に通知したり、自動的にカメラシャッターを切る制御を実行する。
【００８７】
なお、基準画像と撮影前画像の両撮影範囲間に重複している領域が存在していない場合には、例えばビューファインダ画面上の表示や音などにより、その旨を撮影者に知らせるようにしてもよい。同様に、基準画像と撮影前画像の両撮影範囲間に重複している領域が重複度閾値を超えてしまった場合にも、例えばビューファインダ画面上の表示や音などにより、その旨を撮影者に知らせるようにしてもよい。
【００８８】
［コラージュ画像撮影モード時のフローチャート］
図７には、上述したコラージュ画像撮影モードの動作を実現する本発明の画像撮影支援プログラムを、デジタルスチルカメラ１のＣＰＵ部５が実行することによる処理のフローチャートを示す。
【００８９】
図７において、ＣＰＵ部５は、ステップＳ１により画像撮影支援プログラムが起動されてコラージュ画像撮影モードがスタートすると、先ずステップＳ２の処理として、カメラ撮影部２により得られている画像をビューファインダ部６の画面上に表示させる。なお、この時点では例えば前述の図２のような画像が表示される。
【００９０】
次に、ＣＰＵ部５は、ステップＳ３の処理として一枚目の画像撮影のためにシャッターボタンが押されたか否か判断する。当該ステップＳ３にてシャッターボタンが押下されたと判断すると、ステップＳ４へ処理を進める。
【００９１】
ステップＳ４の処理に進むと、ＣＰＵ部５は、カメラ撮影部２に撮影を行わせる。そして、ＣＰＵ部５は、ステップＳ５の処理として、当該カメラ撮影部２にて撮影された画像をメモリ部３に記録する。またこの時、ＣＰＵ部５は、ステップＳ６の処理として、当該撮影済み画像を所定時間だけビューファインダ画面に表示させる。
【００９２】
次に、ＣＰＵ部５は、ステップＳ６でビューファインダ画面上に表示されていた撮影済み画像を消した後、ステップＳ７の処理として、現時点でカメラ撮影部２により得られている画像（撮影前画像）をビューファインダ部６の画面上に表示させ、さらにステップＳ８へ処理を進める。
【００９３】
ステップＳ８の処理に進むと、ＣＰＵ部５は、上記ステップＳ７でビューファインダ部６の画面上に表示されているカメラ撮影部２の出力画像、つまり撮影前画像をメモリ部３に一時的に記憶させる。
【００９４】
次に、ＣＰＵ部５は、ステップＳ９の処理として、ステップＳ５で記録した撮影済み画像を前述の基準画像にすると共にステップＳ８で一時記憶した画像を前述の撮影前画像とし、前述した第１〜第３の算出手法のうちの何れかを用いて相対関係度パラメータを算出し、それら基準画像と撮影前画像の両撮影範囲間の相対的な位置関係及び大きさを求める。さらに、ＣＰＵ部５は、当該相対的な位置関係及び大きさを基に、前述したように補助線を生成して、上記撮影前画像が表示されているビューファインダ画面上に重ねて表示する。
【００９５】
また、ＣＰＵ部５は、ステップＳ１０の処理として、前述した第１〜第３の判断手法のうち何れかを用いて重複度パラメータを求める。
【００９６】
さらに、ＣＰＵ部５は、ステップＳ１１の処理として、ステップＳ１０で求めた重複度パラメータと、予め設定されている所定の重複度閾値とを比較する。そして、当該ステップＳ１１での比較の結果、基準画像と撮影前画像の両撮影範囲が重複度閾値の範囲内に入っていると判断できた場合には、ステップＳ１２へ処理を進め、一方、重複度閾値の範囲から外れていると判断した場合には、ステップＳ７へ処理を戻す。
【００９７】
ステップＳ１２に進むと、ＣＰＵ部５は、前述したような所定のメッセージを撮影者へ通知するための処理を行った後、ステップＳ１３へ処理を進める。
【００９８】
ステップＳ１３の処理に進むと、ＣＰＵ部５は、前述したように加速度センサ部８の加速度データを基に手振れを検出し、当該デジタルスチルカメラ１が略々静止したか否か判断する。そして、ＣＰＵ部５は、静止していないと判断した場合にはステップＳ１２へ処理を戻し、静止したと判断した場合にはステップＳ１４へ処理を進める。
【００９９】
ステップＳ１４の処理に進むと、ＣＰＵ部５は、カメラ撮影部２を制御して自動的にカメラシャッターを切る。これにより、当該デジタルスチルカメラ１では自動撮影が実行される。
【０１００】
そして、ＣＰＵ部５は、ステップＳ１５へ処理を進め、ステップＳ１４で撮影された画像を撮影済み画像としてメモリ部３に記録させる。
【０１０１】
次に、ＣＰＵ部５は、ステップＳ１６の処理として、コラージュ画像を生成するための画像撮影が終了したか否か、すなわち例えば撮影者により操作部７が操作等されて画像の撮影モードからコラージュ画像の合成モードへの移行指示が入力されたか否か判断する。そして、ステップＳ１６にて画像撮影が終了していないと判断した場合、ＣＰＵ部５は、ステップＳ７へ処理を戻す。このようにしてステップＳ７に戻った場合、次の画像撮影のための処理に進むことになる。すなわち本実施形態のデジタルスチルカメラ１によれば、これらステップＳ７からステップＳ１６までの処理が繰り返されることにより、ビューファインダ画面上には過去に撮影した画像の撮影範囲を示す補助線が、各撮影が行われる毎に次々に表示されていくことになる。
【０１０２】
また、ステップＳ１６において、ＣＰＵ部５は、ステップＳ１４にて撮影された画像自体にぶれがあるか否かの判断も行う。そして、当該画像自体にぶれがあると判断した場合、ＣＰＵ部５は、ステップＳ１５でメモリ部３に記録した画像を破棄し、再度撮影を行うためにステップＳ７へ処理を戻す。
【０１０３】
一方、ステップＳ１６にて画像撮影が終了したと判断した場合、ＣＰＵ部５はステップＳ１７へ処理を進める。当該ステップＳ１７の処理に進むと、ＣＰＵ部５は、上記コラージュ画像の生成のために撮影されてメモリ部３に記録された全記録画像を読み出す。
【０１０４】
次いで、ＣＰＵ部５は、ステップＳ１８の処理として、それら読み出された複数の画像を画像処理部４へ送り、それら画像を合成させる。すなわち、ステップＳ１７にてメモリ部３から読み出された複数の画像は、任意の方向に撮影範囲の一部が相互に重なり合った一連の画像であり、画像処理部４は、それら重なり合った部分を合成して各画像を連結した合成画像を生成する。
【０１０５】
その後、ステップＳ１８にて合成された画像のファイルは、画像処理部４によりメモリ部３に記録される。
【０１０６】
なお、ステップＳ１８での画像合成処理については、デジタルスチルカメラ１内で行わず、別途パーソナルコンピュータ等にて行われても良い。
【０１０７】
〔まとめ〕
以上説明したように、本発明実施形態によれば、コラージュ画像撮影モードの画像撮影時には、任意の方向に撮影範囲の一部が相互に重なり合った一連の複数の画像を、ぶれなく容易かつ迅速に撮影することができ、コラージュ画像を生成することができる。すなわち本実施形態によれば、撮影者は、撮影済み画像に対して撮影前画像がビューファインダ内に存在しているような位置関係を保つことだけを考慮して撮影を行えば良いので、撮影者は負担を感じることなく、好みの方向で撮影範囲が重なる複数の一連の画像を撮影できることになる。
【０１０８】
なお、上述した本発明の実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１０９】
上述の実施形態では、画像撮影支援処理を実行するための全ての構成要素を備えたデジタルスチルカメラを挙げているが、例えば撮影前後の画像を別のモニタ画面等に表示し、カメラ側では相対的な位置関係及び大きさの演算と重なり具合の演算、自動撮影のみ行うようなシステムにも本発明は適用可能である。また、本発明の画像撮影支援プログラムの処理は、例えばパーソナルコンピュータ等により実行することもできる。この場合のパーソナルコンピュータは、カメラ側から画像データと加速度データ（必要に応じて方位，傾きのデータ等）を取得し、それらデータを用いて前述のビューファインダ部６の画面表示例と同様の画像表示処理やカメラの自動シャッター制御などを行う。
【０１１０】
また、上述した実施形態では、撮影範囲の重なりが予め決められた重複度閾値の範囲内である時に画像撮影が行われる例を挙げたが、例えば重複度閾値は撮影の都度変更されてもよい。すなわち例えば、或る画像撮影時と次の画像撮影時とで、予め決められた異なる重複度閾値への切り替えがなされるようにしたり、操作部７を介して撮影者が撮影の都度重複度閾値を変更するようになされてもよい。この場合、撮影範囲の重なり具合がそれぞれ異なる一連の複数の画像からなるコラージュ画像の合成が可能となる。
【図面の簡単な説明】
【０１１１】
【図１】本発明実施形態のデジタルスチルカメラの概略的な内部構成例を示すブロック図である。
【図２】コラージュ画像撮影モードにおいて一枚目の画像が撮影される時のビューファインダ部の画面表示例を示す図である。
【図３】コラージュ画像撮影モードにおいて二枚目の画像が撮影される時のビューファインダ部の画面表示例を示す図である。
【図４】コラージュ画像撮影モードにおいて三枚目の画像が撮影される時のビューファインダ部の画面表示例を示す図である。
【図５】撮影範囲の相対的位置関係を求める第２の算出手法において、局所領域の位置の変化を追跡する様子の説明に用いる図である。
【図６】撮影範囲の相対的位置関係を求める第３の算出手法において、傾きセンサ部により検知される回転角と仰角、及び、方位センサ部により検知される方位角の説明に用いる図である。
【図７】コラージュ画像撮影モードを実現する本発明の画像撮影支援プログラムをＣＰＵ部が実行している時の処理のフローチャートである。
【符号の説明】
【０１１２】
１  デジタルスチルカメラ、２  カメラ撮影部、３  メモリ部、４  画像処理部、５  ＣＰＵ部、６  ビューファインダ部、７  操作部、８  加速度センサ部、９  方位センサ部、１０  傾きセンサ部、  ２０  撮影対象を含む風景等、３０  ビューファインダ画面、３１  一枚目の画像撮影時のビューファインダ表示画像、３２  二枚目の画像撮影時のビューファインダ表示画像、  ３３  三枚目の画像撮影時のビューファインダ表示画像、４１  一枚目の撮影済み画像の撮影範囲を示す補助線、４２  二枚目の撮影済み画像の撮影範囲を示す補助線
【図１】
2010045587.tif 000003
【図２】
2010045587.tif 000004
【図３】
2010045587.tif 000005
【図４】
2010045587.tif 000006
【図５】
2010045587.tif 000007
【図６】
2010045587.tif 000008
【図７】
2010045587.tif 000009